(57)【要約】【課題】安価なシステムコストで施設内の照明を制御する。【解決手段】制御システム１００は、複数領域からなる施設内の監視対象物に関する情報を管理する中央監視装置１０１と、施設の一部領域に対応付けて設けられ、当該領域の監視対象物に関する情報を管理する複数のエリアコントローラ１と、一部領域の一区画を照明する照明器具３と、この一区画における人を検知する人検知センサ４と、照明器具３の調光制御手段及び電源制御手段を有する複数の制御ユニット２と、を備え、エリアコントローラ１は、人検知センサ４による検知情報に基づいて、制御ユニット２に対して照明器具３に関する制御指令を通知する。【選択図】図１
2015210885.tif 000002
【特許請求の範囲】
【請求項１】
複数領域からなる施設内の監視対象物に関する情報を管理する中央監視装置と、
前記施設の一部領域に対応付けて設けられ、当該一部領域の監視対象物に関する情報を管理し、当該情報の一部を前記中央監視装置に送信する複数のエリアコントローラと、
前記一部領域の一区画を照明する照明器具と、
前記照明器具が照明する前記一区画における人を検知する人検知センサと、
前記照明器具に対応付けて設けられ、対応する照明器具の調光制御手段及び電源制御手段を有する複数の制御ユニットと、
を備え、
前記エリアコントローラは、前記人検知センサによる検知情報に基づいて、前記制御ユニットに対して前記照明器具に関する制御指令を通知する、
制御システム。
【請求項２】
前記複数の制御ユニットのうちの一部の制御ユニットは、所定範囲に存在する電子機器との間で無線通信可能な無線通信手段を更に有する、
請求項１に記載の制御システム。
【請求項３】
前記無線通信手段を有する一部の制御ユニットに対して、所定のタイミングで所有者を識別する識別情報を発信する無線タグを更に備え、
前記エリアコントローラは、前記人検知センサによる検知情報と、前記制御ユニットが前記無線通信手段により取得した前記識別情報とに基づく前記制御指令を、前記制御ユニットに対して通知する、
請求項２に記載の制御システム。
【請求項４】
前記一部領域の一区画に対応付けて設けられた空調機を更に備え、
前記エリアコントローラは、前記検知情報及び前記識別情報に基づいて前記空調機を制御する、
請求項３に記載の制御システム。
【発明の詳細な説明】
【技術分野】
【０００１】
本発明は、施設内の照明や空調を制御する制御システムに関する。
【背景技術】
【０００２】
オフィスや商業施設等の大規模施設では、施設を運用する際の照明や空調等に多くの電力が使用されるため、近年では、不要な電気機器の駆動を抑制し、省エネルギーに資する施設運用方法が着目されている。
【０００３】
省エネルギーを実現する代表的な仕組みとして、室内に存在する人を検知し、照明や空調を制御する人感センサによる制御システムが知られている。このような人感センサによる制御システムとして、特許文献１には、従来から広く知られている遠赤外線焦電型人感センサではなく、高精度人検知センサを用いた照明制御システムが開示されている。
【０００４】
従来の遠赤外線焦電型人感センサでは、人の動きを捉えることしかできなかったのに対して、特許文献１の照明制御システムでは、人の滞在／不在／進入／退去といった状態まで検知することができ、人の動きを捉えた、より高精度な照明制御を実現することができる。
【先行技術文献】
【特許文献】
【０００５】
【特許文献１】特開２０１３−０８９５４８号公報
【発明の概要】
【発明が解決しようとする課題】
【０００６】
ここで、従来の制御システムの一例を図６に示す。図６に示すように、従来の制御システム５００は、中央監視装置５０１と、照明制御システム５０２と、空調制御システム５０３と、無線システム５０４と、を含んで構成され、複数階層からなる施設の照明や空調等を制御する。
照明制御システム５０２、空調制御システム５０３及び無線システム５０４の夫々は、施設全域における照明、空調及び無線環境を管理する。例えば、照明制御システム５０２は、施設の全域における照明器具の明るさ調整や電源のオン／オフを管理する。
【０００７】
中央監視装置５０１は、これら照明制御システム５０２、空調制御システム５０３及び無線システム５０４の上位装置として用いられ、施設の照明や空調等を統括的に管理する。即ち、中央監視装置５０１は、照明制御システム５０２、空調制御システム５０３及び無線システム５０４の夫々から各種情報を収集し、これら情報を集約する。そして、中央監視装置５０１は、集約した情報に基づいて、照明制御システム５０２、空調制御システム５０３及び無線システム５０４の夫々に対する制御指令を通知し、照明等を管理する。
【０００８】
このような従来の制御システム５００では、一のシステムで用いた情報が、中央監視装置５０１を介して他のシステムに通知され、施設運用に用いられることになる。そのため、従来の制御システム５００では、中央監視装置５０１に通信及び処理負荷が集中してしまい、システムコストが高価になってしまうという問題があった。
【０００９】
また、好ましい明るさや温度等は、個人によって異なるため、照明や空調の制御は、画一的ではなく個々人によって異なる制御を行うことが好ましい。この点、特許文献１の照明制御システムでは、人がいる場所を正確かつリアルタイムに検出できるものの、個人を特定することまではできず、個別の照明制御や空調制御を行うことはできない。
【００１０】
ここで、個人を特定する仕組みとしては、所有者を識別する識別情報が組み込まれた無線タグを利用した個人認証システムや、監視カメラの撮影画像を解析することによる顔認証システムが知られている。しかしながら、これら個人認証システムや顔認証システムを、単に従来の制御システム５００に組み込んだのでは、中央監視装置５０１の通信及び処理負荷が更に増大してしまい、システムコストが更に高価になってしまう。
【００１１】
通信及び処理負荷の増大は、施設内の人の位置情報をリアルタイムで管理する場合に特に顕著であり、個人認証システムや顔認証システムから各種情報を常時得ていたのでは、通信及び処理負荷が膨大なものとなってしまう。また、リアルタイム性を向上させるためには、無線タグから識別情報を常時取得しなければならず、無線タグの電池寿命が短期化してしまい、運用面において問題があった。
【００１２】
本発明は、このような問題に鑑みてなされたものであり、システムコストの軽減が可能な制御システムを提供することを目的とする。
【課題を解決するための手段】
【００１３】
本発明の制御システムは、複数領域からなる施設内の監視対象物に関する情報を管理する中央監視装置と、前記施設の一部領域に対応付けて設けられ、当該一部領域の監視対象物に関する情報を管理し、当該情報の一部を前記中央監視装置に送信する複数のエリアコントローラと、前記一部領域の一区画を照明する照明器具と、前記照明器具が照明する前記一区画における人を検知する人検知センサと、前記照明器具に対応付けて設けられ、対応する照明器具の調光制御手段及び電源制御手段を有する複数の制御ユニットと、を備え、前記エリアコントローラは、前記人検知センサによる検知情報に基づいて、前記制御ユニットに対して前記照明器具に関する制御指令を通知する。
【００１４】
この制御システムによれば、施設を複数の領域に分割し、夫々の領域における照明制御をエリアコントローラ単位で行う。即ち、制御システムでは、人検知センサがある区画において人を検知すると、この検知情報はエリアコントローラを介して制御ユニットに通知され、制御ユニットにより当該区画の照明器具の調光制御又は電源制御が行われる。これにより、中央監視装置にはエリアコントローラから一部の情報のみを送信するだけで足りるため、中央監視装置に通信及び処理負荷が集中することを防止できる。また、エリアコントローラも施設を構成する領域毎に設けられるため、エリアコントローラに通信及び処理負荷が集中することもない。その結果、本発明の制御システムによれば、システムコストを軽減することができる。
【００１５】
また、前記複数の制御ユニットのうちの一部の制御ユニットは、所定範囲に存在する電子機器との間で無線通信可能な無線通信手段を更に有することとしてもよい。
【００１６】
このようにすることで、照明システムと無線通信インフラとを一本化することができ、設備機器や設置工事費を削減することができる。
【００１７】
また、前記無線通信手段を有する一部の制御ユニットに対して、所定のタイミングで所有者を識別する識別情報を発信する無線タグを更に備え、前記エリアコントローラは、前記人検知センサによる検知情報と、前記制御ユニットが前記無線通信手段により取得した前記識別情報とに基づく前記制御指令を、前記制御ユニットに対して通知することとしてもよい。
【００１８】
このようにすることで、照明区画内に滞在する人を特定することができるため、個人に合った照明制御を行うことができ好適である。この場合においても、照明の制御をエリアコントローラ単位で行うため、施設全体ではなくローカルシステムで対応することができ、処理情報量を低減することができる。また、無線タグの識別情報と人検知センサの検知情報とを集約して用いるため、無線タグからの識別情報の発信間隔を短くしなくても、リアルタイム性を高めることができ、無線タグの電池寿命を長期化することができる。
【００１９】
また、前記一部領域の一区画に対応付けて設けられた空調機を更に備え、前記エリアコントローラは、前記検知情報及び前記識別情報に基づいて前記空調機を制御することとしてもよい。
【００２０】
このようにすることで、施設内の照明だけでなく空調についても好適に制御することができる。
【発明の効果】
【００２１】
本発明によれば、安価なシステムコストで施設内の照明（及び空調）を制御することができる。
【図面の簡単な説明】
【００２２】
【図１】制御システムのシステム構成を示す図である。
【図２】制御システムのシステム構成を示す図である。
【図３】制御ユニットの調光制御エリアと人検知センサの人検知エリアとの関係を示す図である。
【図４】エリアコントローラの機能構成を示す図である。
【図５】制御システムの処理の流れの一例を示す図である。
【図６】従来の制御システムのシステム構成を示す図である。
【発明を実施するための形態】
【００２３】
［制御システム１００のシステム構成］
図１及び図２を参照して、本発明の制御システム１００について説明する。図１及び図２は、制御システム１００のシステム構成を示す図である。なお、図２では、空調機６の図示を省略している。
【００２４】
図１に示すように、制御システム１００は、中央監視装置１０１と、フロア制御システム１０２とを含んで構成され、複数階層からなる施設の照明や空調等を制御する。
【００２５】
中央監視装置１０１は、複数領域からなる施設内の監視対象物に関する情報を管理する。ここで、本実施形態では、例えば、施設内の照明や空調を監視対象物とする。もちろん、中央監視装置１０１は、その他の各種電子機器や施設内の通信環境、また、消防・防犯設備等を監視対象物とし、管理することとしてもよい。
中央監視装置１０１は、収集した情報を人が認識しやすいように適宜処理したうえで蓄積し、異常時には警報発信や外部への通報等を行う。
【００２６】
フロア制御システム１０２は、施設内の一部領域における照明や空調等を制御する。理解を容易にするため、本実施形態では施設内の各階層を一部領域とする。そのため、一のフロア制御システム１０２は、一の階層の照明や空調等を制御する。
フロア制御システム１０２は、夫々に固有の機器ＩＤ（アドレス）が付されたエリアコントローラ１と、制御ユニット２ａ、２ｂと、照明器具３と、人検知センサ４と、無線機器５と、空調機６と、通信Ｉ／Ｆ７と、を含んで構成される。
【００２７】
エリアコントローラ１は、施設の一部領域に対応付けて、即ち、フロア制御システム１０２毎に設けられ、当該一部領域の監視対象物に関する情報を管理する。また、エリアコントローラ１は、監視対象物に関する情報の一部を中央監視装置１０１に送信する。
【００２８】
制御ユニット２ａ、２ｂ（以下、区別しない場合は総称して「制御ユニット２」と呼ぶ）は、照明器具３に対応付けて設けられ、対応する照明器具３の調光制御手段及び電源制御手段を有する。ここで、調光制御手段とは、照明器具３の明るさを調節する機能を発揮するための機能構成であり、また、電源制御手段とは、照明器具３の電源オン／オフを切り替える機能を発揮するための機能構成である。
【００２９】
制御ユニット２ａは、無線通信手段を有する制御ユニット２であり、制御ユニット２ｂは、無線通信手段を有さない制御ユニット２である。フロア制御システム１０２内の制御ユニット２のうち少なくとも一部の制御ユニット２は、無線通信手段を有する制御ユニット２ａである。
なお、無線通信手段とは、無線通信可能な所定範囲に存在する電子機器（例えば、無線機器５）との間で無線通信を行う機能を発揮するための機能構成である。具体的には、制御ユニット２ａは、無線通信網におけるアクセスポイントとして機能する。
【００３０】
照明器具３は、エリアコントローラ１が管理する一部領域に対して複数設けられ、一部領域のうちの一区画を照明する。
【００３１】
人検知センサ４は、照明器具３が照明する一区画における人の滞在／不在／進入／退去を検知する。人検知センサ４の具体的な構成は、本出願人による上記特許文献１に高精度人体検知センサとして記載されているため、詳細な説明を省略する。
この人検知センサ４では、人体とＰＣ（パーソナルコンピュータ）・複写機・ＦＡＸ等他の熱源との判別、及び人体と椅子や机等に残る人体の余熱との判別をすることができる。また、人検知センサ４では、静止人体の長時間にわたる検出及び完全静止人体の検出ができ、検知エリア内に滞在する人数が一人か複数かを把握できる。
【００３２】
人検知センサ４が検知した内容は、検知情報としてエリアコントローラ１に送信される。なお、検知情報の送信は、人検知センサ４からエリアコントローラ１に直接送信されることとしてもよく、また、制御ユニット２を介してエリアコントローラ１に送信されることとしてもよい。図１に示す、「２Ｆのフロア制御システム１０２」は、検知情報をエリアコントローラ１に直接送信する場合のシステム構成例であり、「１Ｆのフロア制御システム１０２」は、検知情報を制御ユニット２を介してエリアコントローラ１に送信する場合のシステム構成例である。
【００３３】
ここで、制御ユニット２による照明器具３の制御領域（以下、「調光制御エリア」と呼ぶ）と、人検知センサ４の検知領域（以下、「人検知エリア」と呼ぶ）と、の関係を図３に示す。図３（Ａ）は、照明器具３に対して制御ユニット２を１対１の関係で設置した場合の調光制御エリアと人検知エリアとの関係を示し、図３（Ｂ）は、照明器具３に対して制御ユニット２を多対１の関係で設置した場合の調光制御エリアと人検知エリアとの関係を示す。
【００３４】
図３（Ａ）に示す例では、照明器具３及び人検知センサ４は、施設の一部領域（本実施形態では、各階）を細かく分割した単位区画毎に設置される。照明器具３は、この単位区画を照明エリアとし、人検知センサ４は、この照明エリアと略同一の領域を人検知エリアとしている。制御ユニット２は、照明器具３の調光出力を制御することで、この単位区画内の明るさを調整する。
即ち、図３（Ａ）に示す例では、調光制御エリアと人検知エリアと照明エリアとは、略同一の領域であり、制御ユニット２は、調光制御エリア毎に設けられて夫々の調光制御エリアを独立して制御する。
【００３５】
他方、図３（Ｂ）に示す例では、照明器具３及び人検知センサ４は、一群の装置であり、制御ユニット２の調光制御エリアに対して夫々が複数設置される。制御ユニット２は、一群の照明器具３の調光出力を、一群の人検知センサ４の検知情報に基づいて一括して制御し、調光制御エリア内の明るさを調整する。
【００３６】
図１に戻り、無線機器５は、無線通信手段を有する制御ユニット２ａと無線通信可能な電子機器である。本実施形態では、無線機器５は、施設を利用する利用者が所有するアクティブ型の無線タグである（以下、無線機器５を無線タグ５と呼ぶ）。
無線タグ５は、所有者を識別する識別情報を、所定のタイミングで制御ユニット２ａに対して発信する。所定のタイミングは任意であるが、本発明の制御システム１００では、後述するように人検知センサ４の検知情報と個人の識別情報とを集約して施設内の人の管理を行うため、常時連続的に発信する必要はなく、一定の間隔で断続的に発信すれば足りる。
【００３７】
空調機６は、通信Ｉ／Ｆ７を介して他の装置と通信可能に接続され、施設の一部領域（例えば、各階）の空調を管理する。なお、空調機６の制御は、エリアコントローラ１を介して行うこととしてもよく、また、エリアコントローラを介さないで行うこととしてもよい。
図１に示す、「２Ｆのフロア制御システム１０２」は、エリアコントローラ１を介して空調機６の制御を行う場合のシステム構成例であり、「１Ｆのフロア制御システム１０２」エリアコントローラを介さないで空調機６の制御を行う場合のシステム構成例である。
【００３８】
図２に示すように、エリアコントローラ１、制御ユニット２及び照明器具３は、電源線Ｌ１により電源供給される。そのため、制御ユニット２ａの無線通信手段により実現される無線通信網は、電池寿命を考慮する必要がない。
また、制御ユニット２及び照明器具３は、調光制御線Ｌ２により接続され、制御ユニット２による調光制御が行われる。
【００３９】
また、人検知センサ４、エリアコントローラ１及び制御ユニット２は、ＲＳ４８５等の所定のセンサ通信線Ｌ３により接続され、人検知センサ４が検知した検知情報がエリアコントローラ１及び制御ユニット２に通知される。
また、エリアコントローラ１は、イーサネット（登録商標）等の所定の通信回線Ｌ４を介して中央監視装置１０１に接続される。エリアコントローラ１は、通信回線Ｌ４を介して施設の一部領域内の監視対象物に関する情報の一部を中央監視装置１０１に送信する。
【００４０】
また、制御ユニット２ａ及び無線タグ５は、制御ユニット２ａにより実現される無線通信網により無線接続される。無線タグ５に記憶される識別情報は、無線通信網を介して制御ユニット２ａに送信される。なお、制御ユニット２ａに送信された識別情報は、センサ通信線Ｌ３や図示せぬ通信回線を介して、エリアコントローラ１に送信される。
【００４１】
［エリアコントローラ１の機能構成］
続いて、図４を参照して、エリアコントローラ１の機能構成について説明する。図４に示すように、エリアコントローラ１は、制御部１１と、記憶部１２と、少なくとも含むコンピュータである。
【００４２】
制御部１１は、例えば、ＣＰＵにより構成され、記憶部１２に記憶されている各種プログラムを実行することにより、情報集約部１３、制御指令生成部１４及び通知部１５として機能する。
【００４３】
記憶部１２は、例えば、ＲＯＭ及びＲＡＭ等により構成される。記憶部１２は、エリアコントローラ１を機能させるための各種プログラムを記憶する。また、記憶部１２は、無線タグ５が発信する識別情報に対応付けて、無線タグ５の所有者に関する情報を記憶する。所有者に関する情報は、例えば、所有者の氏名、性別、年齢等の他、視力や温度感覚等の照明／空調に関する個人情報を含む。また、所有者に関する情報として、残業申請、早朝勤務申請又は休日勤務申請等の勤務状況に関する個人情報を含むこととしてもよい。
【００４４】
また、記憶部１２は、施設内の環境情報も併せて記憶することとしてもよい。環境情報としては、例えば、施設内の任意の範囲における日照時間、当該範囲における照度、及び施設内の電子機器（熱源）のレイアウト情報等が考えられる。これら情報は、施設の管理者により予め設定されていることとしてもよく、また、図示せぬ照度計を施設内の任意の範囲に設置しておき、この照度計からの計測値を収集し記憶することとしてもよい。
【００４５】
情報集約部１３は、エリアコントローラ１が管理する一部領域内に設置された複数の人検知センサ４及び複数の制御ユニット２ａから、検知情報及び無線タグ５の識別情報を取得し、集約する。
例えば、情報集約部１３は、人検知センサ４の検知タイミングや制御ユニット２ａの受信タイミング（時間）、及び人検知センサ４や制御ユニット２ａの機器ＩＤに紐づけられた設置場所に基づいて、検知情報や識別情報を集約する。これにより、人検知センサ４が検知した人の存在と無線タグ５の所有者とを結びつけることができる。
【００４６】
このように情報集約部１３が、検知情報及び識別情報を集約することで、人の位置情報を詳細かつリアルタイムに取得することができる。即ち、人検知センサ４が検知した人に、無線タグ５の識別情報を紐づけることで、施設内の個々人の位置情報を取得することができる。このとき、人検知センサ４が人の存在を常時検知しておけば、個人への紐づけは適宜必要なタイミングで行えば足りるため、無線タグ５の発信間隔を断続的にしたとしても、詳細かつリアルタイムな位置情報を取得することができる。
【００４７】
制御指令生成部１４は、情報集約部１３が集約した検知情報及び識別情報に基づいて、照明器具３及び空調機６に対する制御指令を生成する。具体的には、制御指令生成部１４は、個人の位置情報と、記憶部１２に記憶された各種情報とに基づいて、制御指令を生成する。
【００４８】
一例として、個人の位置情報と照明／空調に関する個人情報とに基づいて制御指令を生成する場合、制御指令生成部１４は、例えば、視力が低い人が存在する区画では、照明器具３が通常よりも明るく照明するような制御指令を生成する。また、制御指令生成部１４は、例えば、女性が多い区画では、夏場の空調機６（冷房）が控えめになるような制御指令を生成する。
また、制御指令生成部１４は、個人情報に加えて施設内の環境情報に基づいて制御指令を生成することとしてもよい。例えば、同じように人が存在する区画であっても日照時間や照度が異なる場合には、照明器具３の明るさが異なるように制御指令を生成することとしてもよい。同様に、施設のレイアウト（熱源の位置）によって、空調機６に対する制御指令を異ならせることとしてもよい。
【００４９】
また、個人の位置情報と勤務状況に関する個人情報とに基づいて制御指令を生成する場合、制御指令生成部１４は、現在の日時、曜日等のカレンダー情報を更に用いて制御指令を生成する。例えば、勤務時間が過ぎたにも関わらず施設内に人が存在する場合、制御指令生成部１４は、存在する人の勤務状況に関する個人情報を参照し、残業申請等がなされているか否かを判定する。そして、制御指令生成部１４は、残業申請等の有無に応じて異なる制御指令、例えば、残業申請等がない場合には、照明器具３の明るさを控えめにし、残業申請等がある場合には、照明器具３の明るさが十分になるように制御指令を生成する。
もちろん、照明／空調に関する個人情報と同様に、制御指令生成部１４は、勤務状況に関する個人情報に加え、施設内の環境情報を用いて制御指令を生成することとしてもよい。
【００５０】
通知部１５は、生成した制御指令を制御ユニット２及び空調機６に対して通知する。これにより、照明器具３及び空調機６が制御指令に基づいて制御されることになる。
【００５１】
［制御システム１００の処理］
続いて、図５を参照して、制御システム１００の処理手順について説明する。図５は、制御システム１００の処理のうち、エリアコントローラ１が有線タイプの制御ユニット２ｂに対して制御指令を通知する場合の処理の流れの一例を示すフローチャートである。
【００５２】
図５（Ａ）を参照して、初めに、エリアコントローラ１は、人検知センサ４からの検知情報を参照して、制御ユニット２ｂが照明器具３を管理する区画において、人検知センサ４が人を検知したか否かを判定する（ステップＳ１）。この判定がＹＥＳのときは、エリアコントローラ１は、処理をステップＳ２に移し、この判定がＮＯのときは、エリアコントローラ１は、処理をステップＳ５に移す。
なお、人検知センサ４が人を検知している場合、照明／空調の制御を直ちに行うことが好ましく、他方、人検知センサ４が人を検知していない場合、照明／空調の制御を直ちに行う必要がない。そこで、エリアコントローラ１は、ステップＳ２の処理を行うタイミングと、ステップＳ５の処理を行うタイミングとを異ならせることとしてもよい。即ち、人を検知した場合のステップＳ２の処理は、ステップＳ１の後に直ちに行う一方で、人を検知していない場合のステップＳ５の処理は、所定時間の猶予の後に行うこととしてもよい。
【００５３】
ステップＳ２では、エリアコントローラ１は、制御ユニット２ｂが管理する区画付近で無線タグ５を検出したか否かを判定する。
この判定がＹＥＳのときは、図５（Ｂ）の（１）に示すように、制御ユニット２ｂが管理する区画内に人が存在し、かつ、無線タグ５により個人を特定できているため、エリアコントローラ１は、当該区画に存在する個人を特定する（ステップＳ３）。その結果、エリアコントローラ１は、特定した個人に適した制御指令を生成し、制御ユニット２ｂに対して通知する（ステップＳ８）。
【００５４】
他方、ステップＳ２の判定がＮＯのときは、図５（Ｂ）の（２）に示すように、制御ユニット２ｂが管理する区画内に人が存在するものの、近傍の無線タイプの制御ユニット２ａでは無線タグ５を検出できていないため、エリアコントローラ１は、当該区画に人が滞在していると判定する（ステップＳ４）。その結果、エリアコントローラは、個人情報を利用することなく、汎用的な制御指令を生成し、制御ユニット２ｂに対して通知する（ステップＳ８）。
【００５５】
区画内において人検知センサ４が人を検知していない場合（ステップＳ１においてＮＯの場合）、エリアコントローラ１は、この区画付近で無線タグ５を検出したか否かを判定する（ステップＳ５）。
この判定がＹＥＳのときは、図５（Ｂ）の（３）に示すように、制御ユニット２ｂが管理する区画外にいる個人を無線タグ５により特定できているため、エリアコントローラ１は、当該個人を特定する（ステップＳ６）。その結果、エリアコントローラ１は、特定した個人に適した制御指令を生成し、制御ユニット２ｂに対して通知する（ステップＳ８）。例えば、制御ユニット２ｂの区画内に人は存在しないものの、区画付近に人が存在するため、エリアコントローラ１は、制御ユニット２ｂの区画内を、明るさを落としつつ照明するように制御指令を生成し、通知する。
【００５６】
他方、ステップＳ５の判定がＮＯのときは、図５（Ｂ）の（４）に示すように、制御ユニット２ｂが管理する区画付近にだれも存在していないため、エリアコントローラ１は、当該区画付近は人が不在であると判定する（ステップＳ７）。その結果、エリアコントローラは、照明器具３や空調機６を停止するよう制御指令を生成し、制御ユニット２ｂに対して通知する（ステップＳ８）。
【００５７】
［制御システム１００の効果］
以上説明した制御システム１００によれば、施設を複数の領域に分割し、夫々の領域における照明／空調制御をエリアコントローラ１毎に行う。即ち、制御システム１００では、人検知センサ４がある区画において人を検知すると、この検知情報はエリアコントローラ１を介して制御ユニット２に通知され、制御ユニット２により当該区画の照明器具３の調光制御又は電源制御が行われる。これにより、中央監視装置１０１にはエリアコントローラ１から一部の情報のみを送信するだけで足りるため、中央監視装置１０１に通信及び処理負荷が集中することを防止できる。また、エリアコントローラ１も施設を構成する領域毎に設けられるため、エリアコントローラ１に通信及び処理負荷が集中することもない。その結果、本発明の制御システム１００によれば、システムコストを軽減することができる。
【００５８】
また、制御ユニット２のうちの一部の制御ユニット２ａは、無線通信手段を有するため、照明システムと無線通信インフラとを一本化することができ、設備機器や設置工事費を削減することができる。
【００５９】
また、エリアコントローラ１は、無線タグ５を利用して得られた識別情報と人検知センサ４の検知情報を結び付けて、位置情報の取得を行うため、照明区画内に滞在する人を特定することができる。これにより、個人に適した照明制御を行うことができ好適である。この場合においても、照明の制御をエリアコントローラ１毎に行うため、施設全体ではなくフロア制御システム１０２で対応することができ、処理情報量を低減することができる。また、無線タグ５の識別情報と人検知センサ４の検知情報とを集約して用いるため、無線タグ５の発信間隔を断続的にすることができ、無線タグ５の電池寿命を長期化することができる。
【００６０】
また、エリアコントローラ１は、空調機６も制御するため、施設内の照明だけでなく空調についても好適に制御することができる。
【００６１】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。そのような変更又は改良を加えた形態も本発明の技術的範囲に含まれ得ることが、特許請求の範囲の記載から明らかである。
【符号の説明】
【００６２】
１・・・エリアコントローラ
１１・・・制御部
１２・・・記憶部
１３・・・情報集約部
１４・・・制御指令生成部
１５・・・通知部
２（２ａ、２ｂ）・・・制御ユニット
３・・・照明器具
４・・・人検知センサ
５・・・無線タグ（無線機器）
６・・・空調機
７・・・通信Ｉ／Ｆ
１００・・・制御システム
１０１・・・中央監視装置
１０２・・・フロア制御システム
Ｌ１・・・電源線
Ｌ２・・・調光制御線
Ｌ３・・・センサ通信線
Ｌ４・・・通信回線
５００・・・制御システム
５０１・・・中央監視装置
５０２・・・照明制御システム
５０３・・・空調制御システム
５０４・・・無線システム
【図１】
2015210885.tif 000003
【図２】
2015210885.tif 000004
【図３】
2015210885.tif 000005
【図４】
2015210885.tif 000006
【図５】
2015210885.tif 000007
【図６】
2015210885.tif 000008